(57)【要約】      （修正有）【課題】  蓋体を弧回動させる際に、軸の位置を固定し回動力のバラツキを抑え、蓋体を安定して回動することができるようにした電気湯沸かし器を提供。【解決手段】  軸は蓋体３とヒンジ挿入部材２５とにともに係合され、ヒンジ挿入部材２５に一体で設けられた脚部２６を、本体１に設けられた嵌合部２７に挿入し、嵌合することで、ヒンジばねの付勢力で蓋体３および軸が前方にせり出すことを防止し、軸の位置を固定することで、ヒンジばねの付勢力のバラツキを抑える。【選択図】  図６
2005052537.tif 000002
【特許請求の範囲】
【請求項１】
本体上部に蓋体をヒンジ部を中心として弧回動自在に取付けた電気湯沸かし器であって、一端を蓋体内部に固定し蓋体を開方向に付勢するヒンジばねと、前記ヒンジばねを収容し蓋体に軸を介して回動自在に取付けたヒンジ挿入部材と、前記ヒンジばねによって付勢され前記軸を介して前記蓋体に係合されて前記本体に係止する係止部材とを備え、前記ヒンジ挿入部材に前記本体ヒンジ部に設けた嵌合穴に嵌合する脚部を一体に設ける構成とした電気湯沸かし器。
【請求項２】
本体に形成された凹部にヒンジ部を設ける構成とした請求項１に記載の電気湯沸かし器。
【請求項３】
ヒンジ部の凹部両側にヒンジ突起部を設け、蓋体ヒンジ部の両側に設けた嵌合溝部に前記ヒンジ突起部を嵌合する構成とした請求項２に記載の電気湯沸かし器。
【発明の詳細な説明】
【技術分野】
【０００１】
本発明は、本体に蓋体を着脱自在に取付け、この蓋体を閉位置でロックするロック機構と、このロックを解除するロック解除機構とを設け、外部操作部を操作することでばねの付勢力により蓋体を開く電気湯沸かし器に関するものである。
【背景技術】
【０００２】
従来、この種の電気湯沸かし器は外部操作により弧回動自在に取付けられた蓋体を開とする構成としている（例えば、特許文献１参照）。
【０００３】
図９は、特許文献１に記載された電気湯沸かし器の縦断面図であり、図１０は同電気湯沸かし器の要部拡大縦断面図である。図において、電気湯沸かし器は外郭を構成する本体１０１と、本体１０１内に設けられた液体を収容する容器１０２と、容器１０２の開口を覆い、本体１０１のヒンジ部１０４に弧回動自在に取付けられた蓋体１０３より構成されている。そして、蓋体１０３内にはロック部材１０５が設けられロックばね１０６により前方に付勢されている。蓋体１０３の閉位置において、前部に形成された爪部１０７は本体１０１に形成された爪受け部１０８に係合しており、この状態で蓋体１０３は本体１０１にロックされた状態になっている。また、蓋体にはロック解除つまみ１０９が設けられており、蓋体１０３内部に形成された支柱１１０の穴部１１１に嵌合する軸１１２を中心として弧回動自在に取付けられている。そして、ロック解除つまみ１０９の外部操作部１１３の下方に形成された第１の突起１１４は、ロック部材１０５に形成された斜面部１１５に略当接している。また、蓋体１０３の後方には蓋体１０３を開方向に付勢するヒンジばね１１６が設けられている。
【０００４】
ロック解除つまみ１０９の外部操作部１１３を押圧操作すると、第１の突起１１４がロック部材１０５の斜面部１１５に圧接するため、ロック部材１０５はロックばね１０６の付勢に抗して後方に移動していく。さらに押圧操作を続け、ロック部材１０５の爪部１０７が爪受け部１０８との係合を解かれた後、押圧操作をやめて手を離すと、ヒンジばね１１６の付勢力により蓋体１０３は所定の位置まで弧回動する。
【０００５】
また、蓋体１０３の後方には係止部材１１７が設けられており、本体１０１のヒンジ部１０４に設けられた第２の突起１１８と、上下方向に摺動しロックレバーばね１１９により上方へ付勢されたロックレバー１２０によって挟持されている。また、蓋体１０３には取付金具１２１がネジ１２４で固定されており、その一端に軸受け部１２２が設けられている。ヒンジばね１１６および係止部材１１７は取付金具１２１と、取付金具１２１の軸受け部１２２に固定された軸１２３により取付金具１２１に取付けられている。
【０００６】
蓋体１０３を本体１０１から外す際にはロックレバー１２０をロックレバーばね１１９の付勢力に抗して下に押し下げながら、蓋体１０３を上方へ持ち上げることにより、係止部材１１７が本体１０１のヒンジ部１０４より離脱することにより行える。
【特許文献１】特許公報第２７８０３８８号
【発明の開示】
【発明が解決しようとする課題】
【０００７】
しかしながら、前記従来の構成では、ヒンジばねの反発力で軸が付勢され、蓋体が前方にせり出すとともに軸の位置も移動するため、ヒンジばねの付勢力にバラツキがある場合、蓋体が十分に開かない場合が発生するという問題があった。
【０００８】
本発明は、前記従来の課題を解決するもので、蓋体を弧回動させる際に、軸の位置を固定し回動力のバラツキを抑え、蓋体の回動が安定した電気湯沸かし器を提供することを目的とする。
【課題を解決するための手段】
【０００９】
前記従来の課題を解決するために、本発明の電気湯沸かし器は、本体上部に蓋体をヒンジ部を中心として弧回動自在に取付けた電気湯沸かし器であって、一端を蓋体内部に固定し、蓋体を開方向に付勢するヒンジばねと、前記ヒンジばねを収容し蓋体に軸を介して回動自在に取付けたヒンジ挿入部材と、前記ヒンジばねによって付勢され、前記軸を介して前記蓋体に係合されて、前記本体に係止する係止部材とを備え、前記ヒンジ挿入部材に前記本体ヒンジ部に設けた嵌合穴に嵌合する脚部を一体に設ける構成とした。
【００１０】
これによって、蓋体が閉じた状態で、ヒンジばねの付勢力が大きい場合でも、ヒンジ挿入部材が注口の嵌合穴に挿入され固定されているため、ヒンジ挿入部材に保持される軸の位置は前方にせり出す恐れがない。したがって、蓋体を開く時のスピードおよび最大開き角度のバラツキを最小限に抑えることができる。
【発明の効果】
【００１１】
本発明の電気湯沸かし器は、蓋体を弧回動させる際に、軸の位置を固定し回動力のバラツキを抑え、蓋体の回動を安定にすることができる。
【発明を実施するための最良の形態】
【００１２】
第１の発明は、本体上部に蓋体をヒンジ部を中心として弧回動自在に取付けた電気湯沸かし器であって、一端を蓋体内部に固定し蓋体を開方向に付勢するヒンジばねと、前記ヒンジばねを収容し蓋体に軸を介して回動自在に取付けたヒンジ挿入部材と、前記ヒンジばねによって付勢され前記軸を介して前記蓋体に係合されて前記本体に係止する係止部材とを備え、前記ヒンジ挿入部材に前記本体ヒンジ部に設けた嵌合穴に嵌合する脚部を一体に設ける構成とした。
【００１３】
これにより、蓋体が閉じた状態で、ヒンジばねの付勢力が大きい場合でも、ヒンジ挿入部材が本体の嵌合穴に挿入され固定されているため、ヒンジ挿入部材に保持される軸の位置は前方にせり出す恐れがない。したがって、蓋体を開く時のスピードおよび最大開き角度のバラツキを最小限に抑え、安定して蓋体を回動することができる。
【００１４】
第２の発明は、特に、第１の発明の構成において、本体に形成した凹部にヒンジ部を設けたことにより、本体のヒンジ部が凸状に出っ張ることがなく、外観上見栄えのよい電気湯沸かし器を提供することができる。
【００１５】
第３の発明は、特に、第２の発明におけるヒンジ部の凹部両側にヒンジ突起部を設け、蓋体ヒンジ部の両側に設けられた嵌合溝部に突起部を嵌合させた構成としたことより、蓋体が回動する際に軸の位置がさらに固定されるとともに、係止部材が破損した場合でも、蓋体を閉じた状態では蓋体が本体のヒンジ部から外れることを防止することができる。
【００１６】
以下、本発明の実施の形態について、図面を参照しながら説明する。なお、この実施の形態によって本発明が限定されるものではない。
【００１７】
（実施の形態１）
図１は本発明の第１の実施の形態における電気湯沸かし器の要部拡大縦断面図、図２は同電気湯沸かし器の縦断面、図３は同電気湯沸かし器の要部の分解状態を示す斜視図、図４は同電気湯沸かし器の要部の組立て状態を示す斜視図、図５は同電気湯沸かし器の要部拡大斜視図、図６は同電気湯沸かし器の要部拡大斜視図、図７は同電気湯沸かし器の前部斜視図であり、図８は同電気湯沸かし器の後部斜視図である。
【００１８】
図において、電気湯沸かし器は外郭を構成する本体１と、本体１に設けた液体を収容する容器２と、容器２の開口を覆い、本体１のヒンジ部４に弧回動自在に取付けた蓋体３より構成している。そして、蓋体３内にはロック部材５が設けられロックばね６により前方に付勢されている。蓋体３の閉位置において、前部に形成された爪部７は本体１に形成された爪受け部８に係合しており、この状態で蓋体３は本体１にロックされた状態になっている。また、蓋体にはロック解除つまみ９が設けられており、本体１内部に形成された穴部１１に嵌合する軸１２を中心として弧回動自在に取付けている。また、蓋体３の後方には蓋体３を開方向に付勢するヒンジばね１６を設けている。
【００１９】
ロック解除つまみ９の外部操作部１３を押圧操作すると、レバー１４がロック部材５に設けた突起１５を圧接し、ロック部材５はロックばね６の付勢に抗して後方に移動していく。さらに押圧操作を続け、ロック部材５の爪部７が爪受け部８との係合を解かれた後、押圧操作をやめて手を離すと、ヒンジばね１６の付勢力により蓋体３は所定の位置まで弧回動する。
【００２０】
また、蓋体３の後方には係止部材１７が設けられており、本体１のヒンジ部４に設けられた第２の突起１８と、上下方向に摺動しロックレバーばね１９により上方へ付勢されたロックレバー２０によって挟持されている。蓋体３を本体１から外す際にはレバー２０をロックレバーばね１９の付勢力に抗して下に押し下げながら、蓋体３を上方へ持ち上げることにより、係止部材１７を本体１のヒンジ部４より離脱させることができる。
【００２１】
以下、本実施の形態の特徴である蓋体の回動を安定にする構成について説明する。
【００２２】
蓋体３の後方にはその一端に軸受け部２２を有する取付金具２１がねじ２４で固定されている。そして、ヒンジばね１６と、係止部材１７と、ヒンジ挿入部材２５とを、取付金具２１と、取付金具２１の軸受け部２２に挿入された軸２３とで取付金具２１に取付けている。ヒンジ挿入部材２５には脚部２６が一体形成されている。できるだけ軸２３との係合部付近に一体形成するのが望ましい。また、本実施例では脚部２６を２本設けているが、１本もしくは２本以上の複数であってもよい。蓋体３を本体１に取付けるときは、脚部２６を本体１のヒンジ部４に設けた嵌合穴２７に挿入し、嵌合する。ヒンジ挿入部材２５を本体１に嵌合した状態では、係止部材１７は軸２３を中心として回動可能であるが、ヒンジ挿入部材２５は、ヒンジ部４に設けた第２の突起１８とロックレバー２０によって挟持されているため、上方向への動きは規制される。さらに、ヒンジ挿入部材２５の脚部２６が嵌合穴２７により前後左右下方向を規制されるため、軸部２３の回転以外の移動が規制される。これにより、ヒンジばね１６の付勢力により、軸２３および蓋体３が前方向にせり出すことを防止することできる。これにより、蓋体３の回動時に軸２３の位置が移動して、ヒンジばね１６の付勢力のバラツキを増大させ、蓋体３が十分に開かなかったり、開くスピードがばらついたりするのを防止することができる。
【００２３】
（実施の形態２）
本発明の実施例２について、図５、６および８を参照しながら説明する。なお、本実施の形態の基本構成は実施の形態１と同じなので異なる点を中心に説明する。本実施の形態が実施の形態１と異なる点は、本体１に凹部２８を設け、この凹部２８にヒンジ部４を設ける構成とした点である。蓋体３を凹部２８に嵌め込むように取付けるため、本体１から凸状に出っ張ることがなく、外観がよく、さらに転倒時に破損する恐れのない電気湯沸かし器とすることができる。
【００２４】
（実施の形態３）
本発明の実施例３について、図５、６、８を参照しながら説明する。なお、本実施の形態の基本構成は実施の形態２と同じなので異なる点を中心に説明する。本実施の形態が実施の形態２と異なる点は、蓋体ヒンジ部３０の両側に設けたＵ字型の嵌合溝部３１にヒンジ部４の凹部３２両側に設けたヒンジ突起部２９を嵌合する構成とした点である。
【００２５】
これにより、蓋体３が回動する際に軸２３の位置がさらに固定されるとともに、係止部材１７が破損した場合でも、蓋体３を閉じた状態ではヒンジ突起部２９により嵌合溝部３１が上方への移動を規制されるので、蓋体３が本体１のヒンジ部４から外れることを防止することができる。
【産業上の利用可能性】
【００２６】
以上のように、本発明に関わる電気湯沸かし器は、蓋体の回動を安定して行うことができるので、容器の上部に設けた蓋体を回動するような構成を有する電気湯沸かし器の用途としては有用である。
【図面の簡単な説明】
【００２７】
【図１】本発明の実施例１における電気湯沸かし器の要部拡大縦断面図
【図２】本発明の実施例１における電気湯沸かし器の縦断面図
【図３】本発明の実施例１における電気湯沸かし器の要部分解状態を示す斜視図
【図４】本発明の実施例１における電気湯沸かし器の要部組立て状態を示す斜視図
【図５】本発明の実施例１〜３における電気湯沸かし器の要部拡大斜視図
【図６】本発明の実施例１〜３における電気湯沸かし器の要部拡大断面図
【図７】本発明の実施例１における電気湯沸かし器の前部斜視図
【図８】本発明の実施例１〜３における電気湯沸かし器の後部斜視図
【図９】従来例の電気湯沸かし器の縦断面図
【図１０】従来例の電気湯沸かし器の要部拡大縦断面図
【符号の説明】
【００２８】
１  本体
３  蓋体
４  ヒンジ部
１６  ヒンジばね
１７  係止部材
２３  軸
２５  ヒンジ挿入部材
２６  嵌合穴
２７  脚部
２８  凹部
２９  ヒンジ突起部
３０  蓋体ヒンジ部
３１  嵌合溝部
【図１】
2005052537.tif 000003
【図２】
2005052537.tif 000004
【図３】
2005052537.tif 000005
【図４】
2005052537.tif 000006
【図５】
2005052537.tif 000007
【図６】
2005052537.tif 000008
【図７】
2005052537.tif 000009
【図８】
2005052537.tif 000010
【図９】
2005052537.tif 000011
【図１０】
2005052537.tif 000012